(57)【要約】【課題】  撮像装置から外部機器に画像データを伝送するとき、伝送速度及び伝送プロトコルを自由に選択することができる伝送システムを提供する。【解決手段】  撮像装置は、被写体を撮像する撮像部と、外部機器に接続するための接続インターフェースと、上記撮像部によって得られた画像データを外部機器に伝送する伝送速度を選択するための伝送速度選択手段と、を有し、ユーザは、上記伝送速度選択手段より、所望の伝送速度を選択することができる。【選択図】  図１
2005027219.tif 000002
【特許請求の範囲】
【請求項１】
被写体を撮像する撮像部と、外部機器に接続するための接続インターフェースと、上記撮像部によって得られた画像データを外部機器に伝送する伝送速度を選択するための伝送速度選択手段と、を有し、ユーザは、上記伝送速度選択手段より、所望の伝送速度を選択することができることを特徴とする撮像装置。
【請求項２】
請求項１記載の撮像装置において、上記ユーザが選択した伝送速度に基づいて伝送プロトコルが選択されることを特徴とする撮像装置。
【請求項３】
請求項２記載の撮像装置において、上記伝送プロトコルは、伝送速度が等倍のときはAVCプロトコル、伝送速度が高速のときはSBP2であることを特徴とする撮像装置。
【請求項４】
請求項１記載の撮像装置において、上記伝送速度選択手段により選択可能な伝送速度は等倍と高速を含むことを特徴とする撮像装置。
【請求項５】
請求項４記載の撮像装置において、上記高速は更に複数の速度を含むことを特徴とする撮像装置。
【請求項６】
請求項１記載の撮像装置において、上記伝送速度選択手段は、選択スイッチを含むことを特徴とする撮像装置。
【請求項７】
請求項１記載の撮像装置において、上記伝送速度選択手段は、GUIを含むことを特徴とする撮像装置。
【請求項８】
請求項１記載の撮像装置において、上記接続インターフェースは、ＩＥＥＥ１３９４規格に基づくインターフェースであることを特徴とする撮像装置。
【請求項９】
請求項１記載の撮像装置において、上記接続インターフェースが外部機器と接続されたままで、伝送速度及び伝送プロトコルが変更されたとき、上記接続インターフェースは、上記外部機器との接続をリセットしてから、新たな伝送プロトコルにより上記外部機器と再接続を行い、再接続の後に画像データの伝送を開始することを特徴とする撮像装置。
【請求項１０】
撮像装置に接続するための接続インターフェースと、上記撮像装置から伝送された画像データを記憶する記憶部と、を有し、上記記憶部は、上記画像データの伝送速度に対応した書き込み速度にて画像データを記憶することを特徴とする記憶装置。
【請求項１１】
請求項１０記載の記憶装置において、上記記憶部は、上記撮像装置から伝送される画像データの伝送プロトコルに従って画像データを記憶することを特徴とする記憶装置。
【請求項１２】
請求項１０記載の記憶装置において、上記記憶部は、ハードディスクレコーダを含むことを特徴とする記憶装置。
【請求項１３】
請求項１０記載の記憶装置において、上記記憶部は、光ディスク装置又は光磁気ディスク装置を含むことを特徴とする記憶装置。
【請求項１４】
請求項１０記載の記憶装置において、上記記憶部は、ＤＶＤレコーダ又はブルーレイディスクレコーダを含むことを特徴とする記憶装置。
【発明の詳細な説明】
【技術分野】
【０００１】
本発明は、動画又は静止画を撮像する撮像装置に関し、特に、撮像装置から他の機器に画像データを伝送する技術に関する。
【背景技術】
【０００２】
ビデオカメラに外部機器を接続することによって、ビデオカメラによって撮像された動画像データを外部機器に転送することができる。例えば、ビデオカメラに、ＣＲＴ、液晶表示装置等の画像表示装置を接続することによって、この画像表示装置にビデオカメラによって撮像した画像を表示することができる。更に、ビデオカメラに、ハードディスクレコーダ、DVDレコーダ、光ディスクレコーダ、光磁気ディスクレコーダ、ブルーレイディスクレコーダ等の記憶装置を接続することによって、この記憶装置に画像データを記憶することができる。
【０００３】
ハードディスクレコーダには、３０Mバイト／Ｓ以上の読み出し速度を実現することができるものがある。ビデオカメラによって撮像された実時間の画像データは動画像圧縮技術によって約0.4Mバイト／Ｓ〜3Mバイト／Ｓ程度に圧縮されることができる。従って、ハードディスクレコーダは、実時間に対して１０倍以上の高速な書き込みが可能である。
【０００４】
ビデオレコーダと外部機器の間は、通常、IEEE1394規格のケーブルによって接続される。IEEE1394では、種々の機器に適用可能なように種々のデータ伝送プロトコルが設定されている。AV／Cプロトコル、SBP2（Serial  Bus  Protocol  ２）プロトコル、DPP（Direct  Pad  Pro）プロトコル等である。
【０００５】
AV／Cプロトコルは、データの伝送に等時性が保証されたプロトコルである。実時間の画像を実時間に等速な速度で伝送する。従って、AV機器間の画像伝送に好適なプロトコルである。しかしながら、逆に、実時間の画像を実時間より高速で伝送することができない。
【０００６】
SBP２プロトコルは、高速なデータ伝送が可能であるが、等時性は保証されない。
【０００７】
ビデオカメラから画像表示装置に画像信号を伝送する場合には、等時性が必要であり、従って、AVCプロトコルを使用する。しかしながら、ビデオカメラから記憶装置に画像信号を伝送する場合には、等時性は不要であり、寧ろ、記憶処理の時間を短くするために、高速転送が望ましい。従って、このような場合には、SBP2プロトコルが好適である。
【０００８】
特開平１１−２５９２５９号公報には、共通シリアルバスに異なるプロトコルのデバイスが接続されたとき、良好な出力を得るための適切な処理方法が開示されている。
【０００９】
【特許文献１】特開平１１−２５９２５９号公報
【特許文献２】特開２００３−６１９１２号公報
【特許文献３】特開２００１−４５４１９号公報
【発明の開示】
【発明が解決しようとする課題】
【００１０】
上述のように、ビデオカメラから画像表示装置に画像信号を伝送する場合には、等時性が必要であるが、ビデオカメラから記憶装置に画像信号を伝送する場合には、高速転送が望ましい。また、伝送速度に応じて、伝送プロトコルを選択する必要がある。
【００１１】
しかしながら、従来、ビデオカメラから外部機器に画像データを伝送する場合、伝送速度及び伝送プロトコルを自由に選択することができなかった。
【００１２】
例えば、特開平１１−２５９２５９号公報に記載された例では、異なるプロトコル間にて機器接続が可能であるが、同一の機器で用途により伝送速度を変えることはできない。
【００１３】
本発明の目的は、ビデオカメラ等の撮像装置から外部機器に画像データを伝送するとき、伝送速度及び伝送プロトコルを自由に選択することができる伝送システムを提供することにある。
【課題を解決するための手段】
【００１４】
本発明によると、撮像装置は、被写体を撮像する撮像部と、外部機器に接続するための接続インターフェースと、上記撮像部によって得られた画像データを外部機器に伝送する伝送速度を選択するための伝送速度選択手段と、を有し、ユーザは、上記伝送速度選択手段より、所望の伝送速度を選択することができる。
【００１５】
更に、本発明によると、撮像装置において、上記ユーザが選択した伝送速度に基づいて伝送プロトコルが選択される。
【００１６】
更に、本発明によると、撮像装置において、上記伝送プロトコルは、伝送速度が等倍のときはAVCプロトコル、伝送速度が高速のときはSBP2である。
【００１７】
更に、本発明によると、撮像装置において、上記伝送速度選択手段により選択可能な伝送速度は等倍と高速を含む。
【００１８】
更に、本発明によると、撮像装置において、上記高速は更に複数の速度を含む。
【００１９】
更に、本発明によると、撮像装置において、上記伝送速度選択手段は、選択スイッチを含む。
【００２０】
更に、本発明によると、撮像装置において、上記伝送速度選択手段は、GUIを含む。
【００２１】
更に、本発明によると、撮像装置において、上記接続インターフェースは、ＩＥＥＥ１３９４規格に基づくインターフェースである。
【００２２】
更に、本発明によると、撮像装置において、上記接続インターフェースが外部機器と接続されたままで、伝送速度及び伝送プロトコルが変更されたとき、上記接続インターフェースは、上記外部機器との接続をリセットしてから、新たな伝送プロトコルにより上記外部機器と再接続を行い、再接続の後に画像データの伝送を開始する。
【００２３】
更に、本発明によると、記憶装置は、撮像装置に接続するための接続インターフェースと、上記撮像装置から伝送された画像データを記憶する記憶部と、を有し、上記記憶部は、上記画像データの伝送速度に対応した書き込み速度にて画像データを記憶する。
【００２４】
更に、本発明によると、記憶装置において、上記記憶部は、上記撮像装置から伝送される画像データの伝送プロトコルに従って画像データを記憶する。
【００２５】
更に、本発明によると、記憶装置において、上記記憶部は、ハードディスクレコーダを含む。
【００２６】
更に、本発明によると、記憶装置において、上記記憶部は、光ディスク装置又は光磁気ディスク装置を含む。
【００２７】
更に、本発明によると、記憶装置において、上記記憶部は、ＤＶＤレコーダ又はブルーレイディスクレコーダを含む。
【発明の効果】
【００２８】
本発明によると、撮像装置から他の機器に画像を伝送するとき、撮像装置側で伝送速度を選択することができる。
【００２９】
本発明によると、撮像装置から他の機器に画像を伝送するとき、選択した伝送速度に応じて伝送プロトコルを変化させることができる。
【００３０】
本発明によると、撮像装置から記録装置に画像を伝送するとき、記録装置側は、撮像装置からの伝送速度及び伝送プロトコルに対応している。
【００３１】
本発明によると、ケーブルを接続後、当初の伝送スピードからスピードを変更し、転送を開始すると、バスをリセットし新たなプロトコルで接続するから、伝送スピードの変更が簡単にできる。
【発明を実施するための最良の形態】
【００３２】
図１を参照して本発明によるビデオカメラ及びそれを使用した映像信号伝送システムの例を説明する。本例の映像信号伝送システムは、ビデオカメラ１と記録装置２とを有し、両者は伝送ライン３によって接続されている。尚、記録装置２は、ビデオカメラ１に接続される外部機器の単なる１例であり、記録装置２以外に、例えば、映像表示装置等が接続されてよい。以下に、随時、ビデオカメラ１に記録装置２以外の機器が接続されている場合も説明する。
【００３３】
伝送ライン３は、例えば、IEEE1394規格のケーブルを用いる。ビデオカメラ１は、レンズ１０１、撮像素子１０２、カメラ信号処理部１０３、記録再生処理部１０４、記録媒体１０５、映像出力部１０６、伝送速度選択手段１０７、システム制御マイクロコンピュータ１０８、伝送インターフェース１０９及び映像モニタ部１１０を有する。
【００３４】
一方、記録装置２は、伝送インターフェース２０１、システム制御マイクロコンピュータ２０２、記録再生処理部２０３、記録媒体２０４、映像出力部２０５及び映像モニタ部２０６を有する。記録媒体２０４は、ハードディスク（ＨＤＤ）、光ディスク、光磁気ディスク、ＤＶＤレコーダ、ブルーレイディスク等の高速記録が可能な媒体がよい。特に、ハードディスクは、ランダムアクセスが可能であり、３０Mバイト／Ｓ以上の読み出し及び書き込みスピードを実現できるものもあるため、希望の映像を即座に複製することができ好適である。
【００３５】
本例によると、ユーザは、伝送速度選択手段１０７を介して、ビデオカメラ１に接続された外部機器に応じて最適な伝送速度を選択することができる。ビデオカメラ１に接続された外部機器が画像表示装置の場合には、画像データの実時間と等速にて伝送する必要がある。一方、ビデオカメラ１に接続された外部機器が記録装置である場合には、伝送速度は実時間と等速である必要性がなく、実時間よりも高速であってよい。
【００３６】
図１の例に示すように、ビデオカメラ１から記録装置２に動画像データを伝送する場合、ユーザは、伝送速度選択手段１０７を介して、高速な伝送速度を選択することができる。それによって、高速な転送及び記録が可能となる。
【００３７】
ユーザが選択することができる伝送速度は、等速と高速の２つである。高速は、更に複数の速度を含む。例えば、１．５倍速、２倍速、３倍速、１０倍速等である。尚、伝送速度は、ビデオカメラの記録媒体１０５における読み取り速度と、記憶装置２の記録媒体２０４における書き込み速度に制限される。
【００３８】
本例では、伝送速度が異なると伝送信号のプロトコルが変化する。例えば、伝送速度が実時間と等速である場合には、ＡＶＣプロトコルが使用され、伝送速度が実時間より高速である場合には、ＳＢＰ２プロトコルが使用される。ユーザが、伝送速度選択手段１０７を介して伝送速度を選択すると、システム制御マイクロコンピュータ１０８は、伝送速度に対応した伝送プロトコルを選択する。
【００３９】
先ず、ビデオカメラ１による動作を説明する。レンズ１０１によって結像された被写体の画像は、撮像素子１０２によって電気信号に変換される。この電気信号は、カメラ信号処理部１０３によって画像信号に変換され、記録再生処理部１０４を経て、記録媒体１０５にて記録される。
【００４０】
記録媒体１０５に記録された画像データは、記録再生処理部１０４によって再生される。再生信号は、映像出力部１０６を介して映像モニタ部１１０に送信され、そこで画像が表示される。尚、記録と同時に画像をモニタする場合には、映像信号は、記録再生処理部１０４から映像出力部１０６に送信され、更に、映像モニタ部１１０に送信され、そこで画像が表示される。
【００４１】
図１の例では、ビデオカメラ１に記録装置２が接続されているが、記録装置２の代わりに、映像表示装置が接続されている場合には、記録再生処理部１０４からの再生信号は、伝送インターフェース１０９を介して、映像表示装置に送信される。
【００４２】
次に、ビデオカメラ１の記録媒体１０５に記録された画像データを記録装置２の記憶媒体２０４に記録する動作を説明する。ユーザは、先ず、伝送速度選択手段１０７を介して伝送速度を入力する。システム制御マイクロコンピュータ１０８は、ユーザが選択した伝送速度に応じて伝送プロトコルを設定する。ビデオカメラの記録媒体１０５に記録された画像データは、記録再生処理部１０４にて読み出される。この画像データは、システム制御マイクロコンピュータ１０８による制御下にて、伝送インターフェース１０９を介して、外部機器である記録装置２に伝送される。
【００４３】
記録装置２の伝送インターフェース２０１は、システム制御マイクロコンピュータ２０２による制御下にて、ビデオカメラ１からの画像データを受信する。画像データは、記録再生処理部２０３にて処理され、記憶媒体２０４にて記憶される。尚、記録と同時に画像をモニタする場合には、画像データは、映像出力部２０５を介して、映像モニタ部２０６に送信され、そこで画像が表示される。
【００４４】
本例では、ビデオカメラ１は、複数の伝送速度と複数の伝送プロトコルに対応しているが、ビデオカメラ１に接続された外部機器、即ち、記憶装置２も複数の伝送速度と複数の伝送プロトコルに対応している必要がある。上述のように、伝送ライン３には、ＩＥＥＥ１３９４規格のケーブルが用いられる。ＩＥＥＥ１３９４のインターフェースでは、接続時に機器間でネゴシエーションが行われ、サポートしているプロトコルを確認してから通信が行われる。
【００４５】
例えば、ビデオカメラ１側にて伝送速度として等速が選択され、伝送プロトコルとしてAVCプロトコルが採用され、ビデオカメラと記録装置の間が接続されると、ビデオカメラと記録装置の間でネゴシエーションが行われ、AVCプロトコルにより伝送が行われる。同様に、ビデオカメラ側にて伝送速度として高速が選択され、伝送プロトコルとしてSBP2プロトコルが採用され、ビデオカメラと記録装置の間が接続されると、ビデオカメラと記録装置の間でネゴシエーションが行われ、SBP2プロトコルにより伝送が行われる。
【００４６】
ビデオカメラ１と記録装置２の間を伝送ライン３で接続したままで、ビデオカメラの伝送速度選択手段１０７を操作して伝送速度を変え、その結果伝送プロトコルが変わる場合は、記録装置側でもプロトコルを変えなければならない。この場合、ビデオカメラ１は、あたらしいプロトコルで伝送を始めるに先立って、伝送ライン３をリセットし、あらたなプロトコルで接続し直すことが必要である。
【００４７】
図２を参照して、伝送速度選択手段１０７の例を説明する。本例の伝送速度選択手段１０７は、伝送速度選択スイッチ３１０を有し、伝送速度選択スイッチ３１０は、可動接点３１１と２つの固定接点３１２、３１３を有する。可動接点３１１は接地され、固定接点３１２、３１３はシステム制御マイクロコンピュータ１０８に接続されている。
【００４８】
固定接点３１２、３１３の一方３１２は、等速側接点であり、第１の抵抗３０１を介して固定電圧ＶＣＣに接続されている。固定接点３１２、３１３の他方３１３は高速側接点であり、第２の抵抗３０２を介して固定電圧ＶＣＣに接続されている。可動接点３１１が等速側接点３１２に接続されると、固定電圧ＶＣＣが第１の抵抗３０１を介してシステム制御マイクロコンピュータ１０８に供給される。可動接点３１１が高速側接点３１３に接続されると、固定電圧ＶＣＣが第２の抵抗３０２を介してシステム制御マイクロコンピュータ１０８に供給される。
【００４９】
伝送速度選択手段１０７の他の例として、GUI（グラフィカルユーザーインターフェース）を使用してもよい。
【００５０】
以上本発明の例を説明したが本発明は上述の例に限定されるものではなく、特許請求の範囲に記載された発明の範囲にて様々な変更が可能であることは当業者に容易に理解されよう。
【図面の簡単な説明】
【００５１】
【図１】本発明による撮像装置を含む画像データの伝送システムを示す図である。
【図２】本発明による撮像装置の伝送速度選択手段の構成例を示す図である。
【符号の説明】
【００５２】
１…ビデオカメラ、２…記録装置、３…伝送ライン、１０１…レンズ、１０２…撮像素子、１０３…カメラ信号処理部、１０４…記録再生処理部、１０５…記録媒体、１０６…映像出力部、１０７…伝送速度選択手段、１０８…システム制御マイクロコンピュータ、１０９…伝送インターフェース、１１０…映像モニタ部、２０１…伝送インターフェース、２０２…システム制御マイクロコンピュータ、２０３…記録再生処理部、２０４…記録媒体、２０５…映像出力部、２０６…映像モニタ部
【図１】
2005027219.tif 000003
【図２】
2005027219.tif 000004